(57)【要約】【課題】  コストが高くならずにシュレッダ部に処分する紙を自動的に送り込み、用紙投入の時間や手間が大幅に削減されたシュレッダ内蔵型画像形成装置を提供する。【解決手段】  原稿を自動的に画像読取り位置Ｒに順次搬送する自動原稿搬送部１４と、読取られた原稿の画像を形成する画像形成部３６と、用紙を裁断するシュレッダ部５１を備えた画像形成装置１００において、自動原稿搬送部１４は、画像形成装置の操作部の指示により、自動原稿搬送部１４に載置された用紙を自動的にシュレッダ部５１に順次搬送させる。シュレッダ部５１に順次搬送される用紙の搬送路Ｆは、自動原稿搬送部１４内において原稿搬送経路Ｄから分岐されており、画像形成装置端部に上下方向に形成されている。シュレッダ部５１で裁断された用紙は、シュレッダ部５１下側に形成された裁断紙案内空間５２中を落下して、裁断紙案内空間５２下側に形成された裁断紙収納部５３に収納される。【選択図】  図２
2006094280.tif 000002
【特許請求の範囲】
【請求項１】
原稿を自動的に画像読取り位置に順次搬送する自動原稿搬送部と、前記読取られた原稿の画像を形成する画像形成部と、用紙を裁断するシュレッダ部を備えた画像形成装置において、
前記自動原稿搬送部は、前記画像形成装置の操作部の指示により、前記自動原稿搬送部に載置された用紙を自動的に前記シュレッダ部に順次搬送することを特徴とする画像形成装置。
【請求項２】
前記シュレッダ部に順次搬送される用紙の搬送路は、前記自動原稿搬送部内において原稿搬送経路から分岐されており、前記画像形成装置端部に上下方向に形成されていることを特徴とする請求項１に記載の画像形成装置。
【請求項３】
前記シュレッダ部で裁断された用紙は、前記シュレッダ部下側に形成された裁断紙案内空間中を落下して、前記裁断紙案内空間下側に形成された裁断紙収納部に収納されることを特徴とする請求項１または２に記載の画像形成装置。
【発明の詳細な説明】
【技術分野】
【０００１】
本発明は、プリンタ、ファクシミリ、複写機等の画像形成装置内にシュレッダを内蔵した画像形成装置に関する。
【背景技術】
【０００２】
従来、機密文書を処分するために、オフィス等にシュレッダを設置していた。そのため、限られたスペースのオフィス内で、プリンタ、複写機等の画像形成装置の他に、更に別にシュレッダを設置するためのスペースを確保する必要があった。
【０００３】
そこで、特許文献１には、所定用紙に画像形成後、所定時間放置された前記所定用紙をシュレッダの裁断実行位置に搬送し、裁断を自動的に実行するシュレッダ内蔵型画像形成装置が記載されている。
【特許文献１】特開平９−３０４９８４
【発明の開示】
【発明が解決しようとする課題】
【０００４】
ところで、シュレッダに裁断処理する紙を投入する際には、一般的に、処理する紙を手で保持して、数枚程度づつシュレッダに投入する。この場合、使用者は紙を処理する間、シュレッダの前で紙の投入作業を続けなければならず、また、紙の投入量が多くなるとシュレッダ部のカッターに紙が詰まり、安全装置が作動して紙の裁断が中止されることがあり、非常に効率が悪い。また、カッターに紙が詰まった場合、刃が破損する可能性もある。
【０００５】
また、上記問題を解決するために、裁断処理する紙を載置でき動力を用いた給紙機構によって連続的に給送するようなシュレッダも市販されている。例えば、サイズの異なる用紙や、厚さ、紙質の違う用紙をまとめて載置するだけで、シュレッダに用紙を送り込む給紙装置がシュレッダ本体とは別にオプション設定されている。このようなシュレッダにおいては、自動的に処理されるので用紙投入の時間や手間が大幅に削減されるが、別途オプションと設定されている場合が多くコストが非常に高くなる。
【０００６】
そこで本発明は、コストが高くならずにシュレッダ部に処分する紙を自動的に送り込み、用紙投入の時間や手間が大幅に削減されたシュレッダ内蔵型画像形成装置を提供することを目的とする。
【課題を解決するための手段】
【０００７】
上記課題を解決するために、本発明の画像形成装置は、原稿を自動的に画像読取り位置に順次搬送する自動原稿搬送部と、前記読取られた原稿の画像を形成する画像形成部と、用紙を裁断するシュレッダ部を備えており、前記自動原稿搬送部は、前記画像形成装置の操作部の指示により、前記自動原稿搬送部に載置された用紙を自動的に前記シュレッダ部に順次搬送することを特徴とする。
【０００８】
また、前記シュレッダ部に順次搬送される用紙の搬送路は、前記自動原稿搬送部内において原稿搬送経路から分岐されており、前記画像形成装置端部に上下方向に形成されていることが好ましい。更には、前記シュレッダ部で裁断された用紙は、前記シュレッダ部下側に形成された裁断紙案内空間中を落下して、前記裁断紙案内空間下側に形成された裁断紙収納部に収納されることが好ましい。
【発明の効果】
【０００９】
本発明の画像形成装置によれば、原稿を自動的に画像読取り位置に順次搬送する自動原稿搬送部が、画像形成装置の操作部の指示により、自動原稿搬送部に載置された用紙を自動的にシュレッダ部の裁断位置に順次搬送することができるように構成されている。別途、シュレッダ部へ用紙を投入するための給紙装置を設ける必要が無くコストが上がらない。また、自動原稿搬送部に載置された用紙が順次シュレッダ部に自動的に搬送されるので、使用者は紙の投入作業を行う必要が無く、用紙投入の時間や手間が大幅に削減される。
【００１０】
また、自動原稿搬送部により用紙が１枚ずつシュレッダ部に投入されるために、用紙がカッター部に詰まって用紙の裁断が中断されることも無い。また、シュレッダのカッターの刃を破損することも無い。
【００１１】
好ましくは、シュレッダ部に順次搬送される用紙の搬送路は、自動原稿搬送部内において原稿搬送経路から分岐されており、前記画像形成装置端部に上下方向に形成されているので、用紙の搬送路を設けるために大きなスペースを設けることが不要となる。
【００１２】
更に好ましくは、シュレッダ部で裁断された用紙は、シュレッダ部下側に形成された裁断紙案内空間中を落下して、裁断紙案内空間下側に形成された裁断紙収納部に収納されるので、裁断紙が裁断紙案内空間中を落下する際に分散し、裁断紙収納部に均一に収納される。
【発明を実施するための最良の形態】
【００１３】
以下、本発明に従って構成された装置本体の好適実施形態を図１、図２を参照して説明する。図１は、本発明のシュレッダ内蔵型デジタル複合機１００の外観概略構成を示す斜視図である。図２は、シュレッダ内蔵型デジタル複合機１００の内部構成を示す概略正面断面図である。
【００１４】
シュレッダ内蔵型デジタル複合機１００は、胴内排紙型の画像形成装置であって、本体ハウジング１１と、その上方の、上ハウジング１１Ｕの上部に開平自在に載置された原稿搬送部１４とから構成される。本体ハウジング１１は、上ハウジング１１Ｕ、連絡ハウジング１１Ｃ、下ハウジング１１Ｄ、シュレッダハウジング１１Ｅから構成される。
【００１５】
連結ハウジング１１Ｃの真横側には右側側面から略水平方向に内側に入り込んだシート材スタック空間部１２が形成されている。シート材スタック空間部１２には連結ハウジング１１Ｃから横方向に排出されるシート材を受け取り、積載するための上シートトレイ１、下シートトレイ２が設けられている。
【００１６】
上ハウジング１１Ｕは、画像読取り位置Ｒにおいて原稿を露光して画像を読取るための露光部１５を内蔵しており、その上面には操作部１３や透明なガラス板からなる原稿載置板２１が配設されている。
【００１７】
上ハウジング１１Ｕの上方には原稿画像を読み取るために原稿を画像読取り位置Ｒに搬送するための原稿搬送部１４が載置されている。原稿搬送部１４は、シュレッダ内蔵型デジタル複合機１００の奥側に設置されるヒンジ部（図示せず）によって上ハウジング１１Ｕ上に開閉自在に支持されている。シュレッダ内蔵型デジタル複合機１００はシートスルー方式と原稿固定方式の２方式の原稿画像読取りを行なうことが可能である。
【００１８】
シートスルー方式は閉状態の原稿搬送部１４によって画像読取り位置Ｒを通過している原稿を、画像読取り位置に対向して固定配置された露光部１５内の光学枠体（露光ランプ２７及び反射板２８と第１ミラー２９と第２ミラー３０と第３ミラー３１を搭載した枠体）で画像読取りを行う方式である。原稿固定型方式は、原稿搬送部１４を一端開状態とし、原稿載置板２１上面に原稿を載置し、露光部１５内の光学枠体を移動させつつ画像読取りを行う方式である。
【００１９】
下ハウジング１１Ｄは用紙の給紙部と、用紙上にトナー画像を形成する画像形成部と、用紙上のトナー画像を定着するための定着部と、裁断紙案内空間５２（詳細は後述）を内蔵している。連結ハウジング１１Ｃは定着後の用紙を搬送してシート材スタック空間１２のシートトレイ１，２に向けて排出するための水平用紙搬送路４４を内蔵している。
【００２０】
まず初めに、上ハウジング１１Ｕの構成を図１、図２に基き説明する。上ハウジング１１Ｕの手前側には操作部１３が備えられている。原稿搬送部１４は、原稿給送トレイ１４ａ、原稿搬送部本体１４ｂ、原稿排紙トレイ１４ｃ、原稿カバー１４ｄを備えている。原稿排紙トレイ１４ｃは原稿カバー１４ｄ上面の一部に直付けで形成されている。原稿搬送路Ｄの延長上の上流端に原稿給紙トレイ１４ａが配設され、原稿搬送路Ｄの延長上の下流端には原稿排出トレイ１４ｃが配設されている。
【００２１】
原稿読取り部本体１４ｂには原稿搬送路Ｄに沿って原稿搬送方向の上流側から下流側にかけてピックアップローラ２２、搬送ローラ対２３とレジストローラ対２４、排出ローラ対２５が設けられている。搬送ローラ対２３は駆動ローラ２３ａと分離ローラ２３ｂから構成されている。分離ローラ２３ｂは回転負荷が所定トルクを下回る場合のみ駆動ローラ２３ａと逆方向に回転し、回転負荷が所定トルクを上回る場合には駆動ローラ２３ａと従動回転するようになっている。レジストローラ対２４と排出ローラ対２５の中間には画像読取り部（画像読取り位置Ｒ）が設けられている。
【００２２】
画像読取り位置Ｒには原稿載置板２１への対向する向きにシェーディング補正用の白基準板２６と、白基準板２６の上方にあって白基準板２６を原稿載置板２１に押圧するための原稿押圧部２６ａとが設けられている。原稿搬送路Ｄは搬送ローラ対２３から画像読取り位置Ｒに至る間において反転するように湾曲している。
【００２３】
原稿搬送路Ｄの上流側から下流側に向けて各センサが設けられている。原稿給紙トレイ１４ａ中央部に原稿検知センサＳ１が設けられ、搬送ローラ対２３の下流側に給紙センサＳ２が設けられ、排出ローラ対２５の下流側に排出センサＳ３が設けらている。
【００２４】
原稿搬送部１４で原稿を搬送移動させつつ固定した露光ランプで原稿露光させるいわゆるシートスルー原稿読取り方式に基づいて以下の説明を進める。原稿給送トレイ１４ａに画像面を上向きにセットされたＭ枚の原稿は、ばね部材６ａによって上向きに付勢されたセット原稿押さえ部材６ｂによって所定の圧力でピックアップローラ２２に押しつけられる。操作部１３のコピー開始ボタンが押下されると１次給紙駆動手段（図示せず）によりピックアップローラ２２と搬送ローラ２３が回転駆動される。原稿給紙トレイ１４ａにセットされた原稿はピックアップローラ２２によって上面側から通常複数枚が搬送ローラ対２３に送られる。搬送ローラ対２３に送られた複数枚の原稿は分離ローラ２３ｂにより最上部の１枚のみが分離されてレジストローラ対２４に向けて搬送される。原稿先端が給紙センサＳ２によって検出されてから所定の距離だけ搬送された後、給紙駆動手段の作動停止により搬送ローラ対２３の駆動ローラ２３ａとピックアップローラ２２の回転駆動が停止され一次給紙が終了する。原稿はその先端がレジストローラ対２４のニップ部に押圧されかつその先端にたわみが形成された状態で停止させられる。
【００２５】
一次給紙が終了してから所定時間経過後、２次給紙が開始される。２次給紙駆動手段（図示せず）の作動によりレジストローラ対２４が回転駆動される。原稿はレジストローラ対２４により画像読取り位置Ｒ及び排出ローラ対２５に向けて搬送された後、最終的には排出ローラ対２５によって原稿排出トレイ１４ｃ上に排出される。排出ローラ対の下流側に設けられた排紙センサＳ３により原稿の後端通過を検知したことによって原稿１枚の画像読取りの完了を検出するようになっている。排紙センサＳ３は原稿の給紙搬送完了毎に原稿枚数を計数するカウント機能を有しており、原稿検知センサＳ１が後続の原稿を検知していれば、２枚目以降の原稿搬送が続行される。原稿は画像読取り位置Ｒを通過する際に白基準板２６と原稿押圧部２６ａによって原稿載置板２１の表面を軽く押圧されながら搬送され、原稿画像面が原稿載置板を挟んで対抗する露光ランプ２７によって光走査されるようになっている。
【００２６】
次に、露光部１５について説明する。図２において、露光ランプ２７及び反射板２８と第１ミラー２９と第２ミラー３０と第３ミラー３１と集光レンズ３２とイメージセンサ（例えばライン型のＣＣＤ）３３を備えている。露光ランプ２７と第１ミラー２９は第一光学枠体（図示せず）上に搭載され、第２ミラー３０、第３ミラー３１は第二光学枠体（図示せず）上に搭載されている。原稿読み取り時には、第一光学枠体が前記画像読み取り位置Ｒの直下に固定された状態で、露光ランプ２７からの光照射光が原稿を露光する。照射光は第１ミラー２９、第２ミラー３０、第３ミラー３１、集光レンズ３２を通じてＣＣＤ３３に到達する。ここに、原稿載置板２１上の原稿画像は露光部１５による読取走査を受けることにより、ＣＣＤ３３上に縮小結像され、光電変換処理を経て電気信号となるように読み取られる。
【００２７】
次に、本体ハウジング１１を形成する下ハウジング１１Ｄの構造について説明する。下ハウジング１１Ｄの下方の給紙部にはシートカセット３４と、画像形成部３６と、定着装置３７とが内蔵されている。シートカセット３４に収容されたシート材Ｐは繰り出しコロ３４ａにより１枚ずつ送り出される。
【００２８】
次に画像形成部３６について説明する。画像形成部３６において、感光体ドラム３８は負帯電性の有機感光体ドラムであって、駆動時には図示した矢印方向に１００ｍｍ／秒の速度で回転する。感光体ドラム３８の表面は−５ＫＶの高電圧が印可されたメインチャージャー３９から発生したコロナ放電によって−７５０Ｖに一様帯電した後、レーザースキャニングユニット４０からのビーム光の照射によって明電位−１００Ｖと暗電位−７５０Ｖの部分からなる静電潜像が形成される。更に、感光体の回転によって静電潜像は現像位置にまで回転移動する。現像装置４１内部の現像ローラ４１ａは駆動時には現像領域において感光体ドラム３８と同一方向に２１０ｍｍ／秒の速度で回転している。現像装置４１内には、例えば体積平均粒径９μｍ（コールターカウンターによるメジアン径）の負帯電性トナー５重量部と、平均径８０μｍ（篩い分け法）の磁性フェライトキャリア９５重量部を混合して得られる現像剤が装填されており、現像ローラー４１ａに現像バイアス電圧−５５０Ｖを印可することによって、感光体ドラム３８表面の露光部分にトナーが反転現像され静電潜像がトナー画像化される。
【００２９】
シートカセット３４から１枚ずつ繰り出され搬送路３を通じて上方に搬送されてきた用紙は、感光体上のトナー画像が転写ローラ４２に接近するのに同期して、レジストローラ４で搬送タイミングが調整され、感光体ドラム３８と転写ローラ４２との間を搬送される。これによって、用紙先端とトナー画像部先端が一致して転写ローラ４２を通過することによってトナー画像中のトナーの大部分が用紙上に転写する。用紙上に転移せず感光体ドラム表面に残留した一部トナーは、最下流に設けられたクリーニング４１によって除去される。
【００３０】
トナー像が転写された用紙は定着装置３７へ送られる。定着装置３７は熱ローラ３８ａ及び加圧ローラ３８ｂを有し、これらローラ対によってトナー像を用紙上に定着してコピー物が得られる。定着ニップを通過した用紙はそのまま垂直方向の垂直搬送路４２に沿って上方に搬送される。垂直搬送路４２は連結ハウジング１１Ｃに入り搬送ローラ対４３を通過すると、右方向の水平搬送路４４と斜め上方の搬送路４５に分岐しており、その分岐箇所において用紙の搬送方向を振り分ける分岐爪４６が設けられている。これにより用紙は、水平搬送路４４と搬送路４５とに進行方向を振り分けられ、上シートトレイ１上と下シートトレイ２上へとそれぞれ排出される。
【００３１】
次に、シュレッダ内蔵型デジタル複合機１００のシュレッダ機能について説明する。本発明の特徴は、上述のようにして得られたコピー用紙や原稿等の不要になった機密文書を原稿搬送部１４の原稿給紙トレイ１４ａ上にセットすることで、自動的に裁断処理を行うことである。
【００３２】
操作部１３にはシュレッダキー（図３の２３１）が設けられており、シュレッダキー２３１を押下することで、原稿給紙トレイ１４ａ上にセットされた用紙が自動的に裁断処理される。シュレッダキー２３１が押下されると、搬送ローラ対２３に送られた複数枚の用紙は、上述の原稿が搬送される場合と同様に分離ローラ２３ｂにより最上部の１枚のみが分離される。ここで、原稿搬送部本体１４内には、原稿搬送路Ｄから分岐された用紙搬送路Ｆが形成され、用紙は原稿搬送路Ｄから用紙搬送路Ｆの方へ分岐爪５４により送り込まれる。
【００３３】
すなわち、シュレッダキー２３１が押下されると、用紙は分岐爪５４の作用により用紙搬送路Ｆに送り込まれるように制御され、用紙搬送路Ｆに送り込まれた用紙は上ハウジング１１Ｕ内に設けられた搬送ローラ対５０に達する。搬送ローラ対５０に達した用紙は更に用紙搬送路Ｆを進み、連結ハウジング１１Ｃ内に設けられたロール状カッター対５１（シュレッダ部）に達し、裁断処理される。
【００３４】
ここで、原稿搬送部本体１４ａ内で原稿搬送路Ｄから分岐した用紙搬送路Ｆは、上ハウジング１１Ｕ内の光学部１５の真横側、及び、連結ハウジング１１Ｃ内のシートトレイ１，２に用紙を振り分ける搬送路４４，４５の真横側に、シートトレイ１，２に対してほぼ垂直方向に形成されている。このように構成することで、用紙搬送路Ｆを設けるために大きなスペースを設けることが不要となる。
【００３５】
用紙搬送路Ｆには、ロール状カッター対５１（シュレッダ部）の上流側に用紙排出センサーＳ４が設けられている。用紙排出センサＳ４は前述の排紙センサＳ３と同様の働きを有し、用紙排出センサＳ４により用紙の後端通過を検知したことによって用紙１枚の裁断処理の完了を検出するようになっている。用紙排出センサＳ５は用紙の裁断処理完了毎に用紙枚数を計数するカウント機能を有しており、原稿検知センサＳ１が後続の用紙を検知していれば、２枚目以降の用紙搬送が続行される。
【００３６】
下ハウジング１１Ｄには、画像形成部３６の真横側に裁断紙案内空間５２が形成され、ロール状カッター対５１（シュレッダ部）により裁断された裁断紙が、下ハウジング１１Ｄの真下側に連結されたシュレッダハウジング１１Ｅ内の裁断紙トレイ（裁断紙収納部）５３に落下するように構成されている。裁断紙案内空間５２は上側面積よりも下側面積が大きい形状となっている。このように構成することで、裁断紙が裁断紙トレイ５３内に落下する際、広い面積に分散して落下するため裁断紙が裁断紙トレイ（裁断紙収納部）５３内に均一に収納される。なお、裁断紙案内空間５２は概ね画像形成部３６において、下側（シートカセット３４）から上側（シートトレイ１，２）に形成された、概ね垂直な搬送路（３，４２等）に沿った形状で形成されており、裁断紙案内空間５２を設けるために大きなスペースを設けることが不要となる。
【００３７】
裁断紙トレイ（裁断紙収納部）５３に収納された裁断紙が満杯状態に近ずくと廃棄する必要がある。その際には、シュレッダハウジング１１Ｅに取り付けられた取っ手５４を持って引出し、裁断紙トレイ（裁断紙収納部）５３を取り出して裁断紙を廃棄すれば良い。なお、シュレッダハウジング１１Ｅは、下ハウジング１１Ｄ内のシートカセット３４の真下に形成され、シュレッダハウジング１１Ｅの断面積と下ハウジング１１Ｄの断面積は同じであり連結されるように構成されている。このため、裁断紙を収納するスペースを確保するために、デジタル複合機１００が大きくなることは無く、特別な設置スペースも不要である。
【００３８】
以上のように、本発明の好適実施形態においては、原稿搬送部１４ｂ内において原稿搬送路Ｄから分岐した、裁断処理される用紙が搬送される用紙搬送路が上ハウジング１１Ｕと連結ハウジング１１Ｃ内の端部に形成され、裁断された用紙は裁断紙案内空間５２を落下してシュレッダハウジング１１Ｅ内に収納される。そして、裁断紙案内空間は下ハウジング１１Ｄ内の画像形成部３６の端部に搬送路に沿った形状で形成されている。
【００３９】
図３は、図１に示すシュレッダ内蔵型デジタル複合機１の操作部１３中の操作パネル（タッチパネル）１３Ｔを示す概略図の一例で、画面ａは、基本設定であるコピーモード時に設定されている表示画面で、電源スイッチ（図示せず）をＯＮにした場合に最初に表示される。画面ｂは、用紙の裁断処理（シュレッダ処理）を実行するショートカットキー２３１が押下された際に表示される画面である。
【００４０】
画面ａに示すように、タッチパネル２００の表示画面は、大きく４つの領域（２０１，２０２，２０３，２０４）から構成され、領域２０１の左側には現在選択されているモードが表示され、右側には現在設定されているコピー条件が表示される。
【００４１】
そして、領域２０２には、各モード毎にユーザーが押下することが可能な各種操作キーが表示される。現在はコピーモードに設定されているため、コピーモード時の基本設定表示である、ユーザーが用紙サイズの設定、複写倍率の設定、複写濃度の設定を行うための操作キーが領域２２０，２２１，２２２に表示される。
【００４２】
領域２０３にはショートカットキーが表示される。ショートカットキーとは、領域２０２に基本設定表示されないが、ユーザーが好みに応じて領域２０３に表示させることができる操作キーで、図３においては、集約機能の設定、シュレッダ処理の設定を行うためのショートカットキー２３０，２３１が設定されている。ここで、例えば、集約キー２３０が押下されると、図示しないが、領域２０２に、「２ｉｎ１」、「４ｉｎ１」、等を詳細設定する画面が表示される。
【００４３】
シュレッダキー２３１が押下されると、領域２０２に、シュレッダ処理を行う簡単な手順が表示される（画面ｂ参照）。操作部１３のスタートキー１３Ｓ（図１）が押下されると、原稿搬送部１４にセットされた用紙は順次裁断処理が実行される。なお、用紙の裁断処理を中止したい場合には、操作部１３のクリア／ストップキー１３Ｃ（図１）を押下すればよい。また、用紙の裁断処理が終了し最初の表示画面（画面ａ）に戻したい場合には、操作部１３のリセットキー１３Ｒ（図１）を押下すればよい。なお、画面ｂのまま放置された状態で、一定時間経過後に画面ａに戻るようにも制御されている。
【００４４】
領域２０４には基本キー２４０とユーザー設定キー２４１が表示され、ユーザー設定キー２４１を押下することで、例えば、領域２０２に表示されたショートカットキーの種類（集約、シュレッダ等）やその表示順序を変更したり、ショートカットキーの種類を追加（本実施例では最大３種類まで表示設定可能）したり、あるいは領域２０１に表示される操作キーの種類や表示順序を変更したりすることができる。また、基本キー２４０を押下するとことで元の基本設定に戻すこともできる。
【００４５】
以上のように、本発明の画像形成装置においては、操作部のシュレッダー処理を実行する操作キーを押下することで、自動原稿搬送部に載置された用紙を自動的にシュレッダ部に順次搬送し裁断処理を実行することができる。
【図面の簡単な説明】
【００４６】
【図１】本発明実施形態の画像形成装置の概略外観図である。
【図２】図１に示す画像形成装置の概略正面断面図である。
【図３】図１に示す画像形成装置の操作パネルの概略図である。
【符号の説明】
【００４７】
１          上シートトレイ
２          下シートトレイ
１１        本体ハウジング
１１Ｕ      上ハウジング
１１Ｃ      連結ハウジング
１１Ｄ      下ハウジング
１１Ｅ      シュレッダハウジング
１３        操作部
１４        原稿搬送部
１４ａ      原稿給紙トレイ
１４ｂ      原稿搬送部本体
１４ｃ      原稿排紙トレイ
１４ｄ      原稿カバー
１５        露光部
Ｄ          原稿搬送路
Ｆ          用紙搬送路
２１        原稿載置板
Ｒ          原稿読取り位置
Ｓ１        原稿検知センサ
Ｓ２        給紙センサ
Ｓ３        排紙センサ
Ｓ４        用紙排出センサ
３６        画像形成部
５１        ロール状カッタ対（シュレッダ部）
５２        裁断紙案内空間部
５３        裁断紙トレイ（裁断紙収納部）
【図１】
2006094280.tif 000003
【図２】
2006094280.tif 000004
【図３】
2006094280.tif 000005